(57)【要約】      （修正有）【課題】モジュール化スイッチを有するネットワークサーバを提供する。【解決手段】主に複数個の収容空間を有する筐体１１と、複数個のスイッチモジュール１２とから構成される。ネットワークサーバ１の構造をモジュール化方式で設計することにより、使用者は、ネットワークサーバから抜き取りしたり、当該ネットワークサーバに挿し込みしたりする方式によって、スイッチモジュールの数量を増加または減少させることができるので、実際使用上の要求を満たすことができる。さらに各スイッチモジュールをモジュール化させることにより、スイッチモジュールの体積を最小化することができるので、空間を節約する目的が達成される。こうして、使用者は、実際使用上の要求に応じて、スイッチモジュールの内部の送受信ユニットセットをシングルモード送受信ユニットセット、またはダブルモード送受信ユニットセットに交換することができる。【選択図】図２
0003190002.tif 000002
【実用新案登録請求の範囲】
【請求項１】
モジュール化スイッチを有するネットワークサーバであって、
内部が複数個の収容空間に区画される筐体と、前記複数個の収容空間内にそれぞれ収容される複数個のスイッチモジュールと、を備え、
かつ各スイッチモジュールは、支承板と、前記支承板の上に設置されると共に、前記支承板の前端に位置するホストパネルと、前記支承板の上に設置され、かつその表面上に少なくとも１つの処理ユニットと、少なくとも１つの第１電気スロットとが設けられるホスト回路基板と、前記少なくとも１つの第１電気スロットに接続することにより、前記ホスト回路基板の上に設置されるスイッチと、を備え、
前記スイッチは、開口を有する第１サブ回路基板と、前記第１サブ回路基板の第１サブ回路基板表面上に設置される少なくとも１つの光ファイバー継電器と、本体が前記第１サブ回路基板表面上に設置され、かつその複数個の端子スロットが前記第１サブ回路基板の第２サブ回路基板表面から露出される電源接続端子器と、その第３サブ回路基板表面上に第１電気接続器と、第２電気接続器とが設けられる第２サブ回路基板と、前記第２サブ回路基板の前記第３サブ回路基板表面上に設置されると共に、複数本の第１光ファイバーケーブルに接続される複数個の送受信ユニットセットと、その一端が複数本の外部光ファイバーケーブルに接続され、その他端が複数本の第２光ファイバーケーブルに接続される少なくとも１つの光ファイバーケーブル・インタコネクタと、を備え、
前記第２サブ回路基板は、前記第１電気接続器と前記第２電気接続器がそれぞれ前記少なくとも１つの第１電気スロットと前記電源接続端子器とに挿し込まれることにより、前記第１サブ回路基板に設置されると共に、前記第１電気接続器が前記開口内を貫設し、
前記複数本の第１光ファイバーケーブルは、同時に前記光ファイバー継電器の第１光ファイバー接続端に接続され、
前記複数本の第２光ファイバーケーブルは、同時に前記光ファイバー継電器の第２光ファイバー接続端に接続されることを特徴とする、モジュール化スイッチを有するネットワークサーバ。
【請求項２】
前記収容空間内に設置されると共に、複数個のホスト回路基板スロットを有する少なくとも１つの後端主制御モジュールをさらに備えることを特徴とする、請求項１に記載のモジュール化スイッチを有するネットワークサーバ。
【請求項３】
前記筐体は、前記筐体の内部に設置され、筐体の内部を前記複数個の収容空間に区画する複数枚の仕切板と、前記筐体の内部に設置されると共に、それぞれ前記複数枚の仕切板の内側壁の底部に位置する複数セットの滑動補助組立体と、をさらに備え、前記複数セットの滑動補助組立体は、各スイッチモジュールが対応的に各収容空間内に滑り込まれるように補助することにより、各ホスト回路基板の電気接続インタフェースを各ホスト回路基板スロット内に挿し込むことを特徴とする、請求項２に記載のモジュール化スイッチを有するネットワークサーバ。
【請求項４】
前記スイッチモジュールは、前記ホスト回路基板の上に設置され、少なくとも１つのメモリを挿設するための少なくとも１つの第２電気スロットと、前記ホスト回路基板表面上の前記少なくとも１つの処理ユニットの上に載置される放熱片と、前記放熱片の上に載置される放熱管と、前記放熱管の上に載置される放熱器と、をさらに備えることを特徴とする、請求項１に記載のモジュール化スイッチを有するネットワークサーバ。
【請求項５】
前記スイッチは、前記第１サブ回路基板と、前記少なくとも１つの光ファイバー継電器と、前記電源接続端子器と、前記第２サブ回路基板と、前記複数個の送受信ユニットセットと、前記少なくとも１つの光ファイバーケーブル・インタコネクタと、をその上に配置するように供される底蓋と、前記第１サブ回路基板の上に設置される少なくとも１つのＬＥＤ接続器と、前記ホストパネルの内壁面に貼着されると共に、前記底蓋の前端開口部位に位置するサブパネルと、前記サブパネルの上に設置される複数個のＬＥＤ素子と、枢設方式で前記底蓋と相互に組み合わされる外蓋と、をさらに備え、
かつ前記複数個のＬＥＤ素子の発光面は、前記サブパネルと前記ホストパネルの外から露出され、前記複数個のＬＥＤ素子の電気端子が前記少なくとも１つのＬＥＤ接続器に接続されることを特徴とする、請求項１に記載のモジュール化スイッチを有するネットワークサーバ。
【請求項６】
前記底蓋と前記外蓋との外表面には、複数個の放熱孔が穿設されることを特徴とする、請求項５に記載のモジュール化スイッチを有するネットワークサーバ。
【請求項７】
前記第２サブ回路基板の底部には、複数本の分離柱が設けられ、かつ前記第１サブ回路基板の前記第１サブ回路基板表面上には、複数個のナット孔が開設されることにより、複数本のボルト柱がそれぞれ前記複数個のナット孔を貫通して前記分離柱内に螺入可能に構成されることを特徴とする、請求項１に記載のモジュール化スイッチを有するネットワークサーバ。
【請求項８】
前記複数本のボルト柱のうちの少なくとも１本のボルト柱は、前記ホストパネルの上に螺設され、前記スイッチモジュールを前記収容空間内に螺着するように助成するために用いられることを特徴とする、請求項１に記載のモジュール化スイッチを有するネットワークサーバ。
【請求項９】
前記支承板は、前記支承板の兩側辺にそれぞれ形成される２つの延出部と、前記２つの延出部の端側から延出してなる２つの凸翼と、をさらに備え、
かつ前記２つの延出部の下方に凹溝を呈するように形成されると共に、前記支承板の兩側辺の前記２つの延出部により前記支承板の上をホスト回路基板設置領域に定義することを特徴とする、請求項１に記載のモジュール化スイッチを有するネットワークサーバ。
【請求項１０】
前記送受信ユニットセットは、ＲＯＳＡ（Ｒｅｃｅｉｖｅ  Ｏｐｔｉｃａｌ  Ｓｕｂ−Ａｓｓｅｍｂｌｙ）送受信ユニットセット、ＴＯＳＡ（Ｔｒａｎｓｍｉｔ  Ｏｐｔｉｃａｌ  Ｓｕｂ−Ａｓｓｅｍｂｌｙ）送受信ユニットセットとＲＪ４５（Ｒｅｇｉｓｔｅｒｅｄ  Ｊａｃｋ  ４５）  送受信ユニットセットからなる群の中のいずれかの１種であることを特徴とする、請求項１に記載のモジュール化スイッチを有するネットワークサーバ。
【請求項１１】
前記光ファイバーケーブル・インタコネクタは、ＲＯＳＡ／ＲＯＳＡ光ファイバーケーブル・インタコネクタ、ＲＯＳＡ／ＴＯＳＡ光ファイバーケーブル・インタコネクタ、ＲＯＳＡ／ＲＪ４５光ファイバーケーブル・インタコネクタ、ＴＯＳＡ／ＴＯＳＡ光ファイバーケーブル・インタコネクタ、ＴＯＳＡ／  ＲＯＳＡ光ファイバーケーブル・インタコネクタ、ＴＯＳＡ／  ＲＪ４５光ファイバーケーブル・インタコネクタ、ＲＪ４５／  ＲＪ４５光ファイバーケーブル・インタコネクタ、ＲＪ４５／ＲＯＳＡ光ファイバーケーブル・インタコネクタ、及びＲＪ４５／  ＴＯＳＡ光ファイバーケーブル・インタコネクタからなる群の中のいずれかの１種であることを特徴とする、請求項１０に記載のモジュール化スイッチを有するネットワークサーバ。
【考案の詳細な説明】
【技術分野】
【０００１】
本考案は、ネットワークサーバシステムに係り、特に、スイッチモジュールを容易に交換できる、モジュール化スイッチを有するネットワークサーバに関するものである。
【背景技術】
【０００２】
近年、情報科学技術の進歩及びネットワークの普及に伴って、多種多様なサーバの応用が展開される。基本的に、サーバは、パソコンのネットワークにおいて、各クライアント同士が互いにネットワーク環境の資源を割り当てるように提供される。一般的に、サーバの基本構造は、一般の個人パソコンとほぼ同じであり、少なくとも１つの中央処理器（ＣＰＵ）、少なくとも１つのメモリ（Ｍｅｍｏｒｙ）、及び少なくとも１つの入力／出力（Ｉ／Ｏ）設備等の部品から構成される。
【０００３】
図１に示す従来のサーバの簡易斜視図を参照する。図１に示すように、従来のサーバ１’は、主筐体１１’と、前記主筐体１１’の内部に設けられる少なくとも１つの中央処理器（ＣＰＵ）と、少なくとも１つのメモリ（Ｍｅｍｏｒｙ）と、少なくとも１つの入力／出力（Ｉ／Ｏ）設備とを備える。また、図に示すように、抜き取り可能なスイッチモジュール１２’は、主筐体１１’の１つの開口１１１’を介して前記主筐体１１’内に収容される。
通信ケーブルとしては、例えば図１に示される光ファイバーケーブル２が挙げられ、その一端が前記スイッチモジュール１２’のいずれかのスイッチポート１２１’に接続されると共に、前記光ファイバーケーブル２’の他端がパソコンまたはネットワークプリンタに接続される。これにより、前記パソコンまたは前記ネットワークプリンタは、ネットワーク環境の資源を割り当てるように構成される。
【０００４】
図１に図示されるサーバ１’は、現在、普通に使用されているサーバであるが、明らかに欠点と不足点を有し、それは以下のようにまとめて表すことができる。
【０００５】
１．前記サーバ１’のスイッチモジュール１２’は、抜き取り可能なものであるが、図１に示すように、前記スイッチモジュール１２’は、２列のスイッチポート１２１’（即ち、ｄｏｕｂｌｅ  ｍｏｄｅ  ｆｉｂｅｒ  ｔｒａｎｓｃｅｉｖｅｒ）を有し、かつ使用者が自ら単独の１列のスイッチポート１２１’（即ち、ｓｉｎｇｌｅ  ｍｏｄｅ  ｆｉｂｅｒ  ｔｒａｎｓｃｅｉｖｅｒ）に交換することを許容できない。そのことから分かるように、前記スイッチモジュール１２’に備えるスイッチポート１２１’は、実務上の変化の自由度が乏しい。
【０００６】
２．上記第１点のように、また図１に図示されるスイッチポート１２１’は、その全てがＳＦＰポート（Ｓｍａｌｌ  Ｆｏｒｍ−ｆａｃｔｏｒ  Ｐｌｕｇｇａｂｌｅ）であるため、使用者は、実務上の要求に応じて、一部のＳＦＰポートを例えばＲＪ４５ポートのような他の種類のスイッチポート１２１’に取り替えることができない。
【０００７】
そのため、従来のサーバについての上記説明から理解される如く、前記従来のサーバのスイッチモジュールには依然として数多くの欠点と不足点がある。以上に鑑みて、本出願の考案者は、極力研究考案した結果、本考案のモジュール化スイッチを有するネットワークサーバを研究開発して完成させた。
【考案の概要】
【考案が解決しようとする課題】
【０００８】
本考案の第１目的は、ネットワークサーバの構造をモジュール化方式で設計することにより、使用者は、前記ネットワークサーバから抜き取りしたり、当該ネットワークサーバに挿し込みしたりする方式によって、ネットワークサーバの内部のスイッチモジュールの数量を増加または減少させることができることから、実際使用上の要求を満たすことができる、モジュール化スイッチを有するネットワークサーバを提供することである。
【０００９】
本考案の第２目的は、ネットワークサーバの内部のスイッチモジュールをさらにモジュール化させることにより、スイッチモジュールの体積を最小化することができることから、空間を節約する目的が達成され、また、使用者は、実際使用上の要求に応じて、スイッチモジュールの内部の送受信ユニットセットをシングルモード（ｓｉｎｇｌｅ  ｍｏｄｅ）送受信ユニットセット、またはダブルモード（ｄｏｕｂｌｅ  ｍｏｄｅ）送受信ユニットセットに交換することができ、また、送受信ユニットセットに備える光ファイバースロットは、特に制限されず、ＲＯＳＡ光ファイバースロット、ＴＯＳＡ光ファイバースロット、またはＲＪ４５光ファイバースロットのいずれかに選択することができる、モジュール化スイッチを有するネットワークサーバを提供することである。
【課題を解決するための手段】
【００１０】
従って、本考案の上記目的を達成するために、本出願の考案者は、モジュール化スイッチを有するネットワークサーバを提供する。
【００１１】
本考案は、内部が複数個の収容空間に区画される筐体と、前記複数個の収容空間内にそれぞれ収容される複数個のスイッチモジュールと、を備える。なお、各スイッチモジュールは、支承板と、前記支承板の上に設置されると共に、前記支承板の前端に位置するホストパネルと、前記支承板の上に設置され、かつその表面上に少なくとも１つの処理ユニットと、少なくとも１つの第１電気スロットとが設けられるホスト回路基板と、前記少なくとも１つの第１電気スロットに接続することにより、前記ホスト回路基板の上に設置されるスイッチと、を備える。
また、前記スイッチは、開口を有する第１サブ回路基板と、前記第１サブ回路基板の第１サブ回路基板表面上に設置される少なくとも１つの光ファイバー継電器と、本体が前記第１サブ回路基板表面上に設置され、かつその複数個の端子スロットが前記第１サブ回路基板の第２サブ回路基板表面から露出される電源接続端子器と、その第３サブ回路基板表面上に第１電気接続器と、第２電気接続器とが設けられる第２サブ回路基板と、前記第２サブ回路基板の第３サブ回路基板表面上に設置されると共に、複数本の第１光ファイバーケーブルに接続される複数個の送受信ユニットセットと、その一端が複数本の外部光ファイバーケーブルに接続され、その他端が複数本の第２光ファイバーケーブルに接続される少なくとも１つの光ファイバーケーブル・インタコネクタと、を備え、前記第２サブ回路基板は、前記第１電気接続器と第２電気接続器がそれぞれ前記第１電気スロットと前記電源接続端子器とに挿し込まれることにより、前記第１サブ回路基板に設置されると共に、前記第１電気接続器が前記開口内を貫設し、前記複数本の第１光ファイバーケーブルは、同時に前記光ファイバー継電器の第１光ファイバー接続端に接続され、前記複数本の第２光ファイバーケーブルは、同時に前記光ファイバー継電器の第２光ファイバー接続端に接続される。
【図面の簡単な説明】
【００１２】
【図１】従来のサーバの簡易斜視図である。
【図２】本考案に係るモジュール化スイッチを有するネットワークサーバを示すモジュール分解図である。
【図３】モジュール化スイッチを有するネットワークサーバのスイッチモジュールを示す分解図である。
【図４Ａ】スイッチモジュールのスイッチを示す斜視図である。
【図４Ｂ】スイッチモジュールのスイッチを示す斜視図である。
【図５】スイッチを示す分解図である。
【図６Ａ】スイッチの一部の組立体を示す斜視分解図である。
【図６Ｂ】スイッチの一部の組立体を示す斜視分解図である。
【図７】スイッチモジュールの支承板を示す斜視図である。
【図８】スイッチの送受信ユニットセットを示す斜視図である。
【図９】スイッチの光ファイバーケーブル・インタコネクタを示す斜視図である。
【考案を実施するための形態】
【００１３】
本考案が提出したモジュール化スイッチを有するネットワークサーバをより明瞭に記述するために、添付図面を参照しながら、本考案の好適な実施例を以下に詳述する。
【００１４】
図２と図３を同時に参照する。それぞれが本考案に係るモジュール化スイッチを有するネットワークサーバのモジュール分解図と、モジュール化スイッチを有するネットワークサーバ内のスイッチモジュールの分解図である。図２と図３に示すように、本考案のモジュール化スイッチを有するネットワークサーバ１は、主に筐体１１と、複数個のスイッチモジュール１２とを備え、そのうち、筐体１１の内部に、少なくとも１つの後端主制御モジュール（未図示）が設けられると共に、複数個のホスト回路基板スロットを有する。
また、図２に示すように、複数枚の仕切板１１２は、前記筐体１１内に設けられ、筐体１１の内部を前記複数個の収容空間１１１に区画する。さらに、前記複数枚の仕切板１１２の内側壁の底部に、それぞれ各スイッチモジュール１２が対応的に各収容空間１１１内に滑り込まれるように補助するための滑動補助組立体１１３が設けられ、これにより、各ホスト回路基板１２３の電気接続インタフェース１２３３を各ホスト回路基板スロット内に挿し込むことができる。
さらに、少なくとも１本のボルト柱１２４Ｈは、前記スイッチモジュール１２のホストパネル１２２の上に螺設され、前記スイッチモジュール１２を前記収容空間１１１内に螺着するように助成するために用いられる。
【００１５】
図示のように、前記収容空間１１１内に前記複数個のスイッチモジュール１２が収容され、そのうち、各スイッチモジュール１２は、支承板１２１と、前記支承板１２１の上に設置されると共に、前記支承板１２１の前端に位置するホストパネル１２２と、前記支承板１２１の上に設置され、かつその表面上に少なくとも１つの処理ユニット１２３１と、少なくとも１つの第１電気スロット１２３２とが設けられるホスト回路基板１２３と、前記第１電気スロット１２３２に接続することにより、前記ホスト回路基板１２３の上に設置されるスイッチ１２４と、を備える。
【００１６】
図２と図３を続いて参照すると共に、図４Ａと図４Ｂに示すスイッチの斜視図を同時に参照し、さらに図５に示すスイッチの分解図を同時に参照する。図示のように、特に、本考案において、前記スイッチ１２４は、第１サブ回路基板１２４１と、少なくとも１つの光ファイバー継電器１２４２と、電源接続端子器１２４３と、第２サブ回路基板１２４４と、複数個の送受信ユニットセット１２４７と、２つの光ファイバーケーブル・インタコネクタ１２４９と、底蓋１２４Ｂと、少なくとも１つのＬＥＤ接続器１２４Ｃと、サブパネル１２４Ｄと、複数個のＬＥＤ素子１２４Ｅと、外蓋１２４Ｆとを備える。
【００１７】
本考案のモジュール化スイッチを有するネットワークサーバシステムをより明瞭に説明するために、図６Ａと図６Ｂに示す前記スイッチ１２４の一部の組立体を示す斜視分解図を同時に参照する。図示のように、前記第１サブ回路基板１２４１は、開口１２４１１を有し、かつ前記第１サブ回路基板１２４１の第１サブ回路基板表面１２４１２上に、複数個のナット孔１２４１４が開設される。
また、前記少なくとも１つの光ファイバー継電器１２４２は、前記第１サブ回路基板１２４１の第１サブ回路基板表面１２４１２上に設置される。さらに、前記電源接続端子器１２４３の本体が前記第１サブ回路基板表面１２４１２上に設置され、かつその複数個の端子スロットが前記第１サブ回路基板１２４１の第２サブ回路基板表面１２４１３から露出される。
【００１８】
上記の説明の通り、第２サブ回路基板１２４４の第３サブ回路基板表面１２４４２上に、第１電気接続器１２４５と、第２電気接続器１２４６とが設けられ、さらに前記第２サブ回路基板１２４４の底部に、複数本の分離柱１２４４３が設けられる。図示のように、第２サブ回路基板１２４４は、第１電気接続器１２４５と第２電気接続器１２４６がそれぞれ前記第１電気スロット１２３２と前記電源接続端子器１２４３とに挿し込まれることにより、前記第１サブ回路基板１２４１に設置されると共に、前記第１電気接続器１２４５が前記開口１２４１１内を貫設する。
本考案において、複数本のボルト柱１２４Ｇを使用してそれぞれ前記複数個のナット孔１２４１４を貫通して前記分離柱１２４４３内に螺入可能に構成されることで、第２サブ回路基板１２４４を前記第１サブ回路基板１２４１の上に強固に組み合わせることができる。
【００１９】
次に、本考案のモジュール化スイッチを有するネットワークサーバ１について説明する。そのうち、前記複数個の送受信ユニットセット１２４７は、前記第２サブ回路基板１２４４の第３サブ回路基板表面１２４４２上に設置されると共に、複数本の第１光ファイバーケーブル１２４８に接続され、かつ前記複数本の第１光ファイバーケーブル１２４８は、同時に前記光ファイバー継電器１２４２の第１光ファイバー接続端１２４２１に接続される。
図示のように、送受信ユニットセット１２４７の数量は４個であり、かつ前記送受信ユニットセット１２４７は、デュプレックス（Ｄｕｐｌｅｘ）送受信ユニットセットである。なお、前記複数個の送受信ユニットセット１２４７に対応して、前記光ファイバーケーブル・インタコネクタ１２４９の一側には、複数本の外部光ファイバーケーブル２に接続するための８個の光ファイバースロットを有し、かつ前記光ファイバーケーブル・インタコネクタ１２４９の他側にも、同様に複数本の第２光ファイバーケーブル１２４Ａに接続するための８個の光ファイバースロットを有し、そのうち、前記複数本の第２光ファイバーケーブル１２４Ａは、前記光ファイバー継電器１２４２の第２光ファイバー接続端１２４２２に接続される。
【００２０】
また、前記スイッチ１２４の構成構造において、前記底蓋１２４Ｂは、前記第１サブ回路基板１２４１と、前記少なくとも１つの光ファイバー継電器１２４２と、前記電源接続端子器１２４３と、前記第２サブ回路基板１２４４と、前記複数個の送受信ユニットセット１２４７と、前記少なくとも１つの光ファイバーケーブル・インタコネクタ１２４９と、をその上に配置するように供されるものである。
それに対応して、前記外蓋１２４Ｆは、枢設方式で前記底蓋１２４Ｂと相互に組み合わされ、かつ図示のように、前記底蓋１２４Ｂと前記外蓋１２４Ｆとの外表面には、複数個の放熱孔１２４Ｂ１が穿設される。さらに、前記少なくとも１つのＬＥＤ接続器１２４Ｃは、前記第１サブ回路基板１２４１の上に設置され、かつ前記サブパネル１２４Ｄは、前記ホストパネル１２２の内壁面に貼着されると共に、前記底蓋１２４Ｂの前端開口部位に位置する。また、前記複数個のＬＥＤ素子１２４Ｅは、前記サブパネル１２４Ｄの上に設置され、かつ前記複数個のＬＥＤ素子１２４Ｅの発光面は、前記サブパネル１２４Ｄと前記ホストパネル１２２の外から露出され、前記複数個のＬＥＤ素子１２４Ｅの電気端子が前記少なくとも１つのＬＥＤ接続器１２４Ｃに接続される。
【００２１】
以上、本考案のモジュール化スイッチを有するネットワークサーバ１の基本構成要素について説明した。図７に示すスイッチモジュール内の支承板の斜視図を同時に参照する。ここで、追加説明すべき点としては、スイッチモジュール１２を前記滑動補助組立体１１３と相互に容易に合わせることができるために、図７に示すように、支承板１２１の兩側辺にそれぞれ延出部１２１１が形成され、前記延出部１２１１の下方に凹溝を呈するように形成されると共に、前記支承板１２１の兩側辺の前記２つの延出部１２１１により支承板１２１の上をホスト回路基板設置領域１２１２に定義する。
また、凸翼１２１３は、前記延出部１２１１の端側から延出してなる。こうして、スイッチモジュール１２が前記収容空間１１１内に置かれる場合、前記滑動補助組立体１１３を前記延出部１２１１の下方の凹溝に嵌め込むことにより、スイッチモジュール１２を滑動補助組立体１１３に沿って順調に前記収容空間１１１内に滑り込ませることができる。
【００２２】
上記の説明の通り、なお、ホスト回路基板１２３の上に、さらに少なくとも１つのメモリ１２３５を挿設するための少なくとも１つの第２電気スロット１２３４が設けられる。また、例えば放熱片１２３６、放熱管１２３７や放熱器１２３８等のような一部の放熱部品は、前記ホスト回路基板１２３の上に載置されることにより、放熱効果を強化することができる。
図３に示すように、放熱片１２３６は、前記ホスト回路基板１２３の表面上の前記少なくとも１つの処理ユニット１２３１の上に載置され、放熱管１２３７は、前記放熱片１２３６の上に載置され、かつ放熱器１２３８は、前記放熱管１２３７の上に載置される。
【００２３】
続いて図８と図９にそれぞれ示す送受信ユニットセットと光ファイバーケーブル・インタコネクタの斜視図を参照する。本考案において、前述した図５に示される送受信ユニットセット１２４７は、ダブルモード送受信ユニットセットである。より明確に説明すると、送受信ユニットセットは、ＲＯＳＡ（Ｒｅｃｅｉｖｅ  Ｏｐｔｉｃａｌ  Ｓｕｂ−Ａｓｓｅｍｂｌｙ）、またはＴＯＳＡ（Ｔｒａｎｓｍｉｔ  Ｏｐｔｉｃａｌ  Ｓｕｂ−Ａｓｓｅｍｂｌｙ）のダブルモード送受信ユニットセットのいずれかであってもよい。だが、一部の実際的な応用においては、図８に示すように、送受信ユニットセット１２４７は、ＲＪ４５（Ｒｅｇｉｓｔｅｒｅｄ  Ｊａｃｋ  ４５）のシングルモード送受信ユニットセットであってもよい。
しかし、送受信ユニットセット１２４７についての上記説明は、前記送受信ユニットセット１２４７の実施態様を制限するものではなく、広く説明すると、前記送受信ユニットセット１２４７は、ＲＯＳＡのシングルモード送受信ユニットセット、ＴＯＳＡのシングルモード送受信ユニットセット、またはＲＪ４５のダブルモード送受信ユニットセットのいずれかであてもよい。
【００２４】
同様に、前述した図５に示される光ファイバーケーブル・インタコネクタ１２４９は、ＲＯＳＡ／ＲＯＳＡ光ファイバーケーブル・インタコネクタ、またはＴＯＳＡ／ＴＯＳＡ光ファイバーケーブル・インタコネクタのいずれかである。だが、一部の実際的な応用においては、図９に示すように、光ファイバーケーブル・インタコネクタ１２４９は、ＲＪ４５／ＲＯＳＡ光ファイバーケーブル・インタコネクタであってもよいし、ＲＪ４５／  ＴＯＳＡ光ファイバーケーブル・インタコネクタであってもよい。
しかし、光ファイバーケーブル・インタコネクタ１２４９についての上記説明は、前記光ファイバーケーブル・インタコネクタ１２４９の実施態様を制限するものではなく、広く説明すると、光ファイバーケーブル・インタコネクタ１２４９は、ＲＯＳＡ／ＴＯＳＡ光ファイバーケーブル・インタコネクタ、ＲＯＳＡ／ＲＪ４５光ファイバーケーブル・インタコネクタ、ＴＯＳＡ／  ＲＯＳＡ光ファイバーケーブル・インタコネクタ、ＴＯＳＡ／  ＲＪ４５光ファイバーケーブル・インタコネクタ、またはＲＪ４５／  ＲＪ４５光ファイバーケーブル・インタコネクタのいずれかであってもよい。
【００２５】
以上、本考案のモジュール化スイッチを有するネットワークサーバを十分かつ明瞭に開示した。上記によれば、本考案は、下記の三点の利点を有することが分かる。
【００２６】
１．本考案において、図２に示すように、ネットワークサーバの構造をモジュール化方式で設計することにより、使用者は、前記ネットワークサーバから抜き取りしたり、当該ネットワークサーバに挿し込みしたりする方式によって、スイッチモジュール１２の数量を増加または減少させることができるので、実際使用上の要求を満たすことができる。
【００２７】
２．上記第１点のように、また図３と図５に示すように、本考案は、さらに各スイッチモジュール１２をモジュール化させることにより、スイッチモジュール１２の体積を最小化することができるので、空間を節約する目的が達成される。さらに図８に示すように、使用者は、実際使用上の要求に応じて、スイッチモジュール１２の内部の送受信ユニットセット１２４７をシングルモード（ｓｉｎｇｌｅ  ｍｏｄｅ）送受信ユニットセット１２４７、またはダブルモード（ｄｏｕｂｌｅ  ｍｏｄｅ）送受信ユニットセット１２４７に交換することができる。
また、交換した送受信ユニットセット１２４７に備える光ファイバースロットは、特に制限されず、ＲＯＳＡ光ファイバースロット、ＴＯＳＡ光ファイバースロット、またはＲＪ４５光ファイバースロットのいずれかに選択される。
【００２８】
３．上記第２点のように、さらに図９に示すように、異なる送受信ユニットセット１２４７のタイプに対応して、使用者は、光ファイバーケーブル・インタコネクタ１２４９をＲＪ４５／ＲＯＳＡ光ファイバーケーブル・インタコネクタ、ＲＪ４５／  ＴＯＳＡ光ファイバーケーブル・インタコネクタ、ＲＯＳＡ／ＴＯＳＡ光ファイバーケーブル・インタコネクタ、ＲＯＳＡ／ＲＪ４５光ファイバーケーブル・インタコネクタ、ＴＯＳＡ／  ＲＯＳＡ光ファイバーケーブル・インタコネクタ、ＴＯＳＡ／  ＲＪ４５光ファイバーケーブル・インタコネクタ、またはＲＪ４５／  ＲＪ４５光ファイバーケーブル・インタコネクタに取り替えることができる。
【符号の説明】
【００２９】
本考案
１            モジュール化スイッチを有するネットワークサーバ
１１          筐体
１２          スイッチモジュール
１１２        仕切板
１１１        収容空間
１１３        滑動補助組立体
１２３        ホスト回路基板
１２３３      電気接続インタフェース
１２４Ｈ      ボルト柱
１２２        ホストパネル
１２１        支承板
１２３１      処理ユニット
１２３２      第１電気スロット
１２４        スイッチ
１２４１      第１サブ回路基板
１２４２      光ファイバー継電器
１２４３      電源接続端子器
１２４４      第２サブ回路基板
１２４７      送受信ユニットセット
１２４９      光ファイバーケーブル・インタコネクタ
１２４Ｂ      底蓋
１２４Ｃ      ＬＥＤ接続器
１２４Ｄ      サブパネル
１２４Ｅ      ＬＥＤ素子
１２４Ｆ      外蓋
１２４１１    開口
１２４１２    第１サブ回路基板表面
１２４１４    ナット孔
１２４１３    第２サブ回路基板表面
１２４５      第１電気接続器
１２４６      第２電気接続器
１２４４３    分離柱
１２４Ｇ      ボルト柱
１２４４２    第３サブ回路基板表面
１２４８      第１光ファイバーケーブル
１２４２１    第１光ファイバー接続端
１２４Ａ      第２光ファイバーケーブル
１２４２２    第２光ファイバー接続端
１２１１      延出部
１２１２      ホスト回路基板設置領域
１２１３      凸翼
１２３４      第２電気スロット
１２３５      メモリ
１２３６      放熱片
１２３７      放熱管
１２３８      放熱器
従来技術
１’          サーバ
１１’        主筐体
１２’        スイッチモジュール
１１１’      開口
１２１’      スイッチポート
２’          光ファイバーケーブル
【図１】
0003190002.tif 000003
【図２】
0003190002.tif 000004
【図３】
0003190002.tif 000005
【図４Ａ】
0003190002.tif 000006
【図４Ｂ】
0003190002.tif 000007
【図５】
0003190002.tif 000008
【図６Ａ】
0003190002.tif 000009
【図６Ｂ】
0003190002.tif 000010
【図７】
0003190002.tif 000011
【図８】
0003190002.tif 000012
【図９】
0003190002.tif 000013